(57)【要約】【課題】ユーザが筐体を持ち上げてマウスを戻す際に、反射光を誤認識し、誤ってポインタ制御信号を送信することを防止する。【解決手段】【請求項１】筐体２と、筐体２内に配設され、筐体２底面から光を出射するＬＥＤ３と、ＬＥＤ３から出射された光が所定の反射面を介して反射した反射光を受光する受光部５と、受光部５が受光した反射光に基づいて筐体２の平面的移動を検出する光学式センサ６とを備えるマウス入力装置１において、筐体２が持ち上げられたことを検出手段７が検出し、筐体２が持ち上げられていない状態では、ＬＥＤ３又は光学式センサ６をアクティブとし、筐体が持ち上げられた状態では、ＬＥＤ３又は光学式センサ６を非アクティブとする。【選択図】  図２
2004151927.tif 000002
【特許請求の範囲】
【請求項１】
筐体と、
上記筐体内に配設され、直接又は筐体を介して上記筐体底面から光を出射するＬＥＤと、
上記ＬＥＤから出射された光が所定の反射面を介して反射した反射光を受光する受光部と、
上記受光部が受光した反射光に基づいて上記筐体の平面的移動を検出する光学式センサと、
上記筐体が持ち上げられたことを検出する検出手段と、
上記検出手段に接続され、上記筐体が持ち上げられていない状態では、上記ＬＥＤをアクティブとし、上記筐体が持ち上げられた状態では、上記ＬＥＤを非アクティブとする制御回路とを備えるマウス入力装置。
【請求項２】
筐体と、
上記筐体内に配設され、直接又は筐体を介して上記筐体底面から光を出射するＬＥＤと、
上記ＬＥＤから出射された光が所定の反射面を介して反射した反射光を受光する受光部と、
上記受光部が受光した反射光に基づいて上記筐体の平面的移動を検出する光学式センサと、
上記筐体が持ち上げられたことを検出する検出手段と、
上記検出手段に接続され、上記筐体が持ち上げられていない状態では、上記光学式センサをアクティブとし、上記筐体が持ち上げられた状態では、上記光学式センサを非アクティブとする制御回路とを備えるマウス入力装置。
【請求項３】
筐体と、
上記筐体内に配設され、直接又は筐体を介して上記筐体底面から光を出射するＬＥＤと、
上記ＬＥＤから出射された光が所定の反射面を介して反射した反射光を受光する受光部と、
上記受光部が受光した反射光に基づいて上記筐体の平面的移動を検出する光学式センサと、
無負荷状態では、付勢力により上記筐体の底面から突出し、該筐体が上記反射面上に載置されているときは、該筐体の重みにより該筐体内に収納される機械的スイッチと、
上記機械的スイッチが上記筐体内に収納されている状態では、上記ＬＥＤをアクティブとし、上記筐体がユーザにより持ち上げられ、上記機械的スイッチが上記筐体の底面から突出した状態では、上記ＬＥＤを非アクティブとする制御回路とを備えるマウス入力装置。
【請求項４】
筐体と、
上記筐体内に配設され、直接又は筐体を介して上記筐体底面から光を出射するＬＥＤと、
上記ＬＥＤから出射された光が所定の反射面を介して反射した反射光を受光する受光部と、
上記受光部が受光した反射光に基づいて上記筐体の平面的移動を検出する光学式センサと、
無負荷状態では、付勢力により上記筐体の底面から突出し、該筐体が上記反射面上に載置されているときは、該筐体の重みにより該筐体内に収納される機械的スイッチと、
上記機械的スイッチが上記筐体内に収納されている状態では、上記光学式センサをアクティブとし、上記筐体がユーザにより持ち上げられ、上記機械的スイッチが上記筐体の底面から突出した状態では、上記光学式センサを非アクティブとする制御回路とを備えるマウス入力装置。
【発明の詳細な説明】
【０００１】
【発明の属する技術分野】
本発明は、マウス入力装置に関し、特にマウス入力装置本体の移動を光学的に検出するマウス入力装置に関する。
【０００２】
【従来の技術】
座標入力装置として、例えば、平面上を移動させながら入力操作を行う所謂マウス入力装置が広く利用されている。このようなマウス入力装置は、例えば内部に筐体内で回転可能に支持されたボールの回転方向及び回転量を検出するようにした機械的移動検出機構、又は光学的に筐体の水平移動を検出するようにした光学的センサを備えている。
【０００３】
このように構成されたマウスによれば、筐体を水平移動させることにより、その移動量に伴って、機械的移動検出機構又は光学的センサによって、そのＸＹ方向の移動量が検出され、接続されたパーソナルコンピュータ等に対して、検出信号が出力される。これにより、座標入力が行われると共に、複数個の操作ボタンが適宜に操作されることにより、各種入力操作が行われ得るようになっている。
【０００４】
筐体内にボールを収容し、機械的移動検出機構により筐体の移動を検出する機械式のマウス入力装置では、ボールに付着した粉塵や汚れが筐体内部に入り込み、動作が不安定となることがあるため、近年では、光学式のマウス入力装置が普及しつつある。
【０００５】
光学的センサを用いた光学式のマウス入力装置では、筐体内に設けられたＬＥＤが発光した光を筐体底部から出射し、例えばマウスパッド等の所定の反射面に反射させ、光学的センサによりその反射光の変化を検知することにより、マウス入力装置本体の移動を検出する。
【０００６】
【特許文献１】
特開２０００−３５３０５０号公報
【０００７】
【発明が解決しようとする課題】
マウス入力装置でディスプレイ上のポインタを制御するとき、ポインタの移動量が多い場合は、マウス入力装置を持ち上げて、移動を数回繰り返すことがある。ボールを用いた機械式のマウス入力装置では、マウス入力装置を持ち上げて移動させれば、当然、ボールは回転しなくなる。
【０００８】
一方、光学式のマウス入力装置では、反射面からの反射光の読取可能距離に一定のマージンが設定されているため、マウス入力装置を持ち上げて移動させる際に、ポインタがユーザが意図する方向とは逆の方向に若干戻ってしまうことがあった。このようなポインタの予期せぬ移動により、ユーザはポインタの操作に違和感を覚えることがあった。
【０００９】
本発明は、上述のような課題に鑑みてなされたものであり、特に光学式のマウス入力装置であって、マウス入力装置本体を持ち上げて移動させる際に、対応するポインタを確実に停止させ、ユーザに快適な操作感を提供できるマウス入力装置を実現することを目的とする。
【００１０】
【課題を解決するための手段】
上述の課題を解決するために、本発明に係るマウス入力装置は、筐体と、上記筐体内に配設され、直接又は筐体を介して上記筐体底面から光を出射するＬＥＤと、上記ＬＥＤから出射された光が所定の反射面を介して反射した反射光を受光する受光部と、上記受光部が受光した反射光に基づいて上記筐体の平面的移動を検出する光学式センサと、上記筐体が持ち上げられたことを検出する検出手段と、上記検出手段に接続され、上記筐体が持ち上げられていない状態では、上記ＬＥＤをアクティブとし、上記筐体が持ち上げられた状態では、上記ＬＥＤを非アクティブとする制御回路とを備える。
【００１１】
このマウス入力装置では、ユーザが筐体を持ち上げると、ＬＥＤが非アクティブとされる。非アクティブとなったＬＥＤは、光を発光せず、したがって、光学式センサが反射光を誤認識する虞がなくなる。
【００１２】
また、上述の課題を解決するために、本発明に係るマウス入力装置は、筐体と、上記筐体内に配設され、直接又は筐体を介して上記筐体底面から光を出射するＬＥＤと、上記ＬＥＤから出射された光が所定の反射面を介して反射した反射光を受光する受光部と、上記受光部が受光した反射光に基づいて上記筐体の平面的移動を検出する光学式センサと、上記筐体が持ち上げられたことを検出する検出手段と、上記検出手段に接続され、上記筐体が持ち上げられていない状態では、上記光学式センサをアクティブとし、上記筐体が持ち上げられた状態では、上記光学式センサを非アクティブとする制御回路とを備える。
【００１３】
このマウス入力装置では、ユーザが筐体を持ち上げると、光学式センサが非アクティブとされる。非アクティブとなったセンサは、反射面からの反射光を読み取らず、したがって、誤認識によりユーザが予期せぬ方向にポインタを移動制御することがなくなる。
【００１４】
また、上述の目的を達成するために、本発明に係るマウス入力装置は、筐体と、上記筐体内に配設され、直接又は筐体を介して上記筐体底面から光を出射するＬＥＤと、上記ＬＥＤから出射された光が所定の反射面を介して反射した反射光を受光する受光部と、上記受光部が受光した反射光に基づいて上記筐体の平面的移動を検出する光学式センサと、無負荷状態では、付勢力により上記筐体の底面から突出し、該筐体が上記反射面上に載置されているときは、該筐体の重みにより該筐体内に収納される機械的スイッチと、上記機械的スイッチが上記筐体内に収納されている状態では、上記ＬＥＤをアクティブとし、上記筐体がユーザにより持ち上げられ、上記機械的スイッチが上記筐体の底面から突出した状態では、上記ＬＥＤを非アクティブとする制御回路とを備える。
【００１５】
このマウス入力装置では、ユーザが筐体を持ち上げると、機械的スイッチの状態が変化し、これに伴ってＬＥＤが非アクティブとされる。非アクティブとなったＬＥＤは、光を発光せず、したがって、光学式センサが反射光を誤認識する虞がなくなる。
【００１６】
また、上述の目的を達成するために、本発明に係るマウス入力装置は、筐体と、上記筐体内に配設され、直接又は筐体を介して上記筐体底面から光を出射するＬＥＤと、上記ＬＥＤから出射された光が所定の反射面を介して反射した反射光を受光する受光部と、上記受光部が受光した反射光に基づいて上記筐体の平面的移動を検出する光学式センサと、無負荷状態では、付勢力により上記筐体の底面から突出し、該筐体が上記反射面上に載置されているときは、該筐体の重みにより該筐体内に収納される機械的スイッチと、上記機械的スイッチが上記筐体内に収納されている状態では、上記光学式センサをアクティブとし、上記筐体がユーザにより持ち上げられ、上記機械的スイッチが上記筐体の底面から突出した状態では、上記光学式センサを非アクティブとする制御回路とを備える。
【００１７】
このマウス入力装置では、ユーザが筐体を持ち上げると、機械的スイッチの状態が変化し、これに伴って光学式センサが非アクティブとされる。非アクティブとなったセンサは、反射面からの反射光を読み取らず、したがって、誤認識によりユーザが予期せぬ方向にポインタを移動制御することがなくなる。
【００１８】
【発明の実施の形態】
以下、本発明に係るマウス入力装置について、図面を参照して詳細に説明する。
【００１９】
本発明の実施の形態として示すマウス１を図１〜図３に示す。なお、図１は、マウス１を底面側から見た透視図であり、図２は、マウス１の側面の透視図であり、図３は、マウス１の底面図である。
【００２０】
これら図１〜図３に示すように、マウス１は、ユーザの手に収まる程度の大きさの所謂マウス型の筐体２を備える。
【００２１】
筐体２内には、所定の電圧により光を発光するＬＥＤ３と、ＬＥＤ３が発光した光を反射させて、筐体２の底面方向から筐体２外部に光を出射させるレンズ４と、レンズ４を介して出射された光が筐体２外部の反射面を介して反射した反射光を受光する受光部５と、受光部５が受光した反射光を読み取り、この反射光の変化に基づいて、筐体２の移動方向を検出する光学式センサ６とが設けられている。
【００２２】
さらに、このマウス１は、無負荷状態、すなわち筐体２を持ち上げた状態では、例えばバネ等の付勢力により筐体２の底面から突出し、筐体２が反射面上に載置されているときは、筐体２の重みにより筐体２内に収納される機械的スイッチ７を備える。この機械的スイッチ７は、後に説明する制御回路８に接続されている。
【００２３】
この他、マウス１は、ユーザがクリック、ダブルクリック、ドラッグ等の操作を行うための操作子である左ボタン９、右ボタン１０及びスクロール等の操作を行うための操作子であるホイール１１を備える。これら左ボタン９、右ボタン１０、ホイール１１の機構及びその動作については周知であるため、ここでは詳細には説明しない。
【００２４】
ここで、このマウス１の動作について説明する。マウス１は、例えばパーソナルコンピュータ等の情報処理装置（図示せず）に接続され、情報処理装置が備える、又は情報処理装置に接続されたディスプレイに表示されるポインタの移動を制御する。なお、マウス１と情報処理装置の接続は、専用のマウスケーブルの他、ＵＳＢ規格に準拠したケーブルを用いてもよく、ワイヤレス方式で行ってもよい。
【００２５】
ユーザは、通常、例えばマウスパッド等の所定の平面上（以下、反射面という。）にマウス１を載置して使用する。ＬＥＤ３が発光した光は、レンズ４を介して、筐体２の底面方向、すなわち反射面に向けて出射される。この光は反射面により反射され、この反射光が受光部５を介して再び筐体２内に入射する。光学式センサ６は、この反射光の変化を検知する。
【００２６】
すなわち、筐体２が反射面上で静止している場合、この反射光は変化せず、したがって、光学式センサ６は、筐体２が移動していないと判断する。一方、ユーザが筐体２を反射面上で摺動させた場合、この反射光に変化が生じる。光学式センサ６は、この反射光の変化に基づいて、筐体２の移動方向及び移動速度を検知し、マウス１は、これに基づく制御信号を情報処理装置に送信する。情報処理装置側では、この制御信号に基づき、ディスプレイに表示されているポインタを移動させる。
【００２７】
ポインタの移動量が多い場合、ユーザは、マウス１を摺動させ、持ち上げて元の位置に戻し、再び摺動させるといった動作を１回以上繰り返す必要がある。この操作において、ユーザがマウス１を持ち上げると、上述のとおり、機械式スイッチ７は、付勢力により筐体２の底面から突出する。この機械式スイッチ７の状態の変化により、制御回路８は、ＬＥＤ３に供給されている電力を切断する。これにより、ＬＥＤ３の発光が停止する。したがって、ユーザが筐体２を持ち上げて移動する際には、光学式センサ６が反射光を検出することもなく、したがって、マウス１から情報処理装置に制御信号が送信されることはない。このため、情報処理装置側のディスプレイに表示されているポインタは、確実に停止している。
【００２８】
また、ユーザがマウス１を持ち上げて元の位置に戻し、反射面にマウス１を載置すると、機械式スイッチ７は、マウス１の重量により筐体２内に収納される。制御回路８は、この機械式スイッチ７の状態の変化に応じて、ＬＥＤ３への電力の供給を再開する。これにより、ＬＥＤ３は再び発光し、上述のような通常のポインタ制御操作が可能となる。
【００２９】
なお、この具体例では、制御回路８は、ＬＥＤ３への電力の供給を制御し、すなわち、機械式スイッチ７の状態の変化に応じて、ＬＥＤ３をアクティブ／非アクティブとするように制御しているが、制御回路８を光学式センサ６に接続し、機械式スイッチ７の状態の変化に応じて、光学式センサ６をアクティブ／非アクティブとするようにしてもよい。この場合、マウス１を持ち上げてもＬＥＤ３は、発光し続けるが、マウス１を持ち上げて機械式スイッチ７の状態が変化することにより、制御回路８が光学式センサ６を非アクティブ状態に切り換えるため、光学式センサ６が反射光及びその変化を認識することはない。このような構成によっても上述と同様の効果が得られる。
【００３０】
さらに、この具体例では、マウス１が持ち上げられた状態にあるか否かを機械式スイッチ７の状態の変化により検出しているが、これに代えてインタラプタ等のセンサを用いてもよい。すなわち、マウス１が反射面に載置されているか、反射面から持ち上げられているかを適切に検出できるセンサであれば、いかなるセンサを用いてもよい。本発明の主眼は、マウス入力装置を持ち上げた状態では、ポインタを移動させる制御信号を送信しない点にあり、このような効果を奏するあらゆる構成は本発明の範囲内にある。
【００３１】
【発明の効果】
以上のように、本発明に係るマウス入力装置は、筐体内に配設され、直接又は筐体を介して筐体底面から光を出射するＬＥＤと、ＬＥＤから出射された光が所定の反射面を介して反射した反射光を受光する受光部と、受光部が受光した反射光に基づいて筐体の平面的移動を検出する光学式センサと、筐体が持ち上げられたことを検出する検出手段又は機械式スイッチと、筐体が持ち上げられていない状態では、ＬＥＤ又は光学式センサをアクティブとし、筐体が持ち上げられた状態では、ＬＥＤ又は光学式センサを非アクティブとする制御回路とを備えるので、ユーザが筐体を持ち上げてマウスを移動させる際には、ポインタ制御信号は送信されない。このため、ポインタがユーザの意図しない方向に移動することがなく、ユーザは快適な操作感を得ることができる。
【図面の簡単な説明】
【図１】本発明を適用したマウス入力装置の底面透視図である。
【図２】本発明を適用したマウス入力装置の側面透視図である。
【図３】本発明を適用したマウス入力装置の底面図である。
【符号の説明】
１        マウス
２        筐体
３        ＬＥＤ
４        レンズ
５        受光部
６        光学式センサ
７        機械式スイッチ
８        制御回路
９        左ボタン
１０      右ボタン
１１      ホイール
【図１】
2004151927.tif 000003
【図２】
2004151927.tif 000004
【図３】
2004151927.tif 000005